(57)【要約】【課題】遊技機の筐体に対して不正行為が行われたことを検知して遊技状態を中断させることにより、遊技機を誤作動させて遊技利益を得る不正行為を防止できるようにした遊技機を提供する。【解決手段】振動検知センサ２０は、筐体３における振動を検知し、検知信号をＣＰＵ３０に入力する。異常判断部４２は、検知信号に基づいて筐体３における振動の周期及び振幅が異常状態のものであるか否かを判断し、筐体３の振動が異常状態であると判断したときには、異常状態であることを示す信号をＣＰＵ３０に入力する。異常状態であることを示す信号が入力されると、ＣＰＵ３０は、遊技状態中断部４３を作動させる。遊技状態中断部４３は、作動されると、現状の遊技状態に応じて遊技状態を予め定められた所定の手順にて中断させる。【選択図】        図２
2004243021.tif 000002
【特許請求の範囲】
【請求項１】
遊技に基づいて作動される各種装置と、該装置を作動制御する制御回路装置を備える遊技機において、
前記遊技機の内部に設置され、前記遊技機の筐体における振動の周期及び振幅を検知し、検知した振動の周期及び振幅に応じて検知信号を出力する振動検知手段と、
前記振動検知手段が出力した検知信号に基づいて、前記遊技機の筐体における振動の周期または振幅が異常状態であるか否かを判断する異常判断手段と、
前記異常判断手段が異常状態であると判断したときに、前記遊技機における遊技状態を予め定められた所定の手順にて中断させる遊技状態中断手段とを設けたことを特徴とする遊技機。
【請求項２】
遊技媒体を投入した後の遊技開始手段の操作により当選役を決定する当選役決定手段と、複数のリール毎に対応して設けられたリール停止操作手段の操作に応答して、前記当選役決定手段で決められた当選役を構成する絵柄が同一の入賞有効ライン上に停止するように、対応するリールの停止制御を行うリール停止制御手段とを備えるとともに、前記遊技状態中断手段は、前記異常判断手段が異常状態であると判断したときに、遊技状態が、前記リールの回転中であって前記リール停止操作手段の操作を待っている状態である場合に、前記当選役決定手段で決められた当選役に関わらず、遊技媒体の投入なしに次回のゲームを行う権利を与える再遊技役を構成する絵柄を同一の入賞有効ライン上に停止させて遊技状態を中断させることを特徴とする請求項１記載の遊技機。
【請求項３】
遊技媒体を投入した後の遊技開始手段の操作により当選役を決定する当選役決定手段と、複数のリール毎に対応して設けられたリール停止操作手段の操作に応答して、前記当選役決定手段で決められた当選役を構成する絵柄が同一の入賞有効ライン上に停止するように、対応するリールの停止制御を行うリール停止制御手段と、前記入賞有効ライン上に成立した当選役に応じた遊技利益を遊技者に付与する遊技利益付与手段を備えるとともに、前記遊技状態中断手段は、前記異常判断手段が異常状態であると判断したときに、遊技状態が、前記リールの回転中であって前記リール停止操作手段の操作を待っている状態である場合に、前記当選役決定手段で決められた当選役を構成する絵柄を同一の入賞有効ライン上に停止させ、該入賞有効ライン上に成立した当選役に応じた遊技利益を遊技者に付与して遊技状態を中断させることを特徴とする請求項１記載の遊技機。
【請求項４】
前記遊技状態中断手段は、前記異常判断手段が異常状態であると判断したときに、複数回の遊技が行われる区間に特定の遊技状態となる特別区間中である場合に、該特別区間中であることを保持して遊技状態を中断させることを特徴とする請求項１〜３のいずれか１つに記載の遊技機。
【発明の詳細な説明】
【０００１】
【発明の属する技術分野】
本発明は、パチンコ店等の遊技場に設置して使用されるパチンコ機等の遊技機に関するものである。
【０００２】
【従来の技術】
パチンコ店などの遊技場に設置して使用されるスロットマシンはパチスロ機と称され、その遊技媒体となっているメダルに一定の価値が与えられて、ゲームを行って遊技利益として獲得したメダルを種々の景品に交換することができる。このため、遊技者はメダルを大量に獲得するということを目的としている。スロットマシンは筐体内に、リールユニット、メダル払い出し装置、電源装置等の各種装置や、これら各種装置の作動を制御する制御回路装置が組み込まれ、筐体前面を前面扉によって閉じられている。さらに、スロットマシンの筐体は、その内部に組み込まれた機器が不正行為を目的として触れられることがないように、前面扉には錠を設けて、遊技場の作業者のような特定の者のみが鍵を用いて前面扉を開けられるようにしてある。
【０００３】
なお、本明細書中ではパチスロ機を例に挙げて説明しているため、遊技媒体としてメダルを用いて説明するが、遊技媒体としてはコインやパチンコ玉など他の媒体も含む。また、「メダル（遊技媒体）投入」には、実際にメダル投入口にメダルを投入することの他に、クレジットされたメダルをベットボタンなどによりベットすることを含む。さらに、本明細書中では、電子抽選によって当選役に当たったことを当選、当選した当選役に対応したリール絵柄を入賞有効ライン上に揃えることが可能な状態を内部入賞、内部入賞した当選役に対応したリール絵柄が入賞有効ライン上に揃った状態を入賞とする。
【０００４】
【発明が解決しようとする課題】
しかしながら、上記のようなスロットマシンにあっては、スロットマシンが遊技場に設置された際などに、工具などを用いて、例えばスロットマシンの筐体に穴を開けたり、隙間を抉じ開けるなどして、前面扉の錠を開かなくとも筐体内部に組み込まれた機器に触れることができるようにし、該機器を誤作動させることによってメダルを得る不正行為が行われてしまうことがあった。
【０００５】
本発明は、上記の問題を解決するためになされたものであり、遊技機の筐体に対して不正行為が行われたことを検知して遊技状態を中断させることにより、遊技機を誤作動させて遊技利益を得る不正行為を防止できるようにした遊技機を提供することを目的とする。
【０００６】
【課題を解決するための手段】
上記目的を達成するために、本発明の遊技機は、遊技に基づいて作動される各種装置と、該装置を作動制御する制御回路装置を備える遊技機において、前記遊技機の内部に設置され、前記遊技機の筐体における振動の周期及び振幅を検知し、検知した振動の周期及び振幅に応じて検知信号を出力する振動検知手段と、前記振動検知手段が出力した検知信号に基づいて、前記遊技機の筐体における振動の周期または振幅が異常状態であるか否かを判断する異常判断手段と、前記異常判断手段が異常状態であると判断したときに、前記遊技機における遊技状態を予め定められた所定の手順にて中断させる遊技状態中断手段とを設けたことを特徴とするものである。
【０００７】
また、遊技媒体を投入した後の遊技開始手段の操作により当選役を決定する当選役決定手段と、複数のリール毎に対応して設けられたリール停止操作手段の操作に応答して、前記当選役決定手段で決められた当選役を構成する絵柄が同一の入賞有効ライン上に停止するように、対応するリールの停止制御を行うリール停止制御手段とを備えるとともに、前記遊技状態中断手段は、前記異常判断手段が異常状態であると判断したときに、遊技状態が、前記リールの回転中であって前記リール停止操作手段の操作を待っている状態である場合に、前記当選役決定手段で決められた当選役に関わらず、遊技媒体の投入なしに次回のゲームを行う権利を与える再遊技役を構成する絵柄を同一の入賞有効ライン上に停止させて遊技状態を中断させることが好適である。これによって、リール回転中に遊技状態が中断したことによる不利益感を遊技者に与えないようにすることができる。
【０００８】
また、遊技媒体を投入した後の遊技開始手段の操作により当選役を決定する当選役決定手段と、複数のリール毎に対応して設けられたリール停止操作手段の操作に応答して、前記当選役決定手段で決められた当選役を構成する絵柄が同一の入賞有効ライン上に停止するように、対応するリールの停止制御を行うリール停止制御手段と、前記入賞有効ライン上に成立した当選役に応じた遊技利益を遊技者に付与する遊技利益付与手段を備えるとともに、前記遊技状態中断手段は、前記異常判断手段が異常状態であると判断したときに、遊技状態が、前記リールの回転中であって前記リール停止操作手段の操作を待っている状態である場合に、前記当選役決定手段で決められた当選役を構成する絵柄を同一の入賞有効ライン上に停止させ、該入賞有効ライン上に成立した当選役に応じた遊技利益を遊技者に付与して遊技状態を中断させることが好適である。これによって、リール回転中に遊技状態が中断されても遊技者が遊技利益を得られるので、不利益感を遊技者に与えないようにすることができる。
【０００９】
また、前記遊技状態中断手段は、前記異常判断手段が異常状態であると判断したときに、複数回の遊技が行われる区間に特定の遊技状態となる特別区間中である場合に、該特別区間中であることを保持して遊技状態を中断させることが好適である。これによって、遊技状態が中断した後に、特別区間の途中から遊技状態を再開できるので、不利益感を遊技者に与えないようにすることができる。
【００１０】
【発明の実施の形態】
図１に、本発明を用いたスロットマシンの外観斜視図を示す。スロットマシン２のゲームには、通常モードと、遊技者が通常モードよりも遊技利益を得易い特別モードである、ＢＢモード及びＲＢモードが設定されている。
【００１１】
ＢＢモードは、ＲＢモードに３回移行されるか又はＲＢモードに移行される前に行われるＲＢ導入ゲームが３０回行われることで終了するモードである。ＲＢモードは１枚がけの役物ゲームが８回入賞されるか又は１２回行われることで終了するモードである。即ち、ＢＢモード中及びＲＢモード中は、複数回の遊技が行われる区間に特定の遊技状態となる特別区間中となっている。
【００１２】
このスロットマシン２は、筐体３の前面扉４に表示窓５が設けられ、表示窓５の奥に第１リール６ａ、第２リール６ｂ、第３リール６ｃが回転自在に組み込まれている。周知のように、第１〜第３リール６ａ〜６ｃの外周には様々な絵柄が一定ピッチで配列され、リールが停止した状態では表示窓を通して１リール当たり３個の絵柄が観察される。これにより、各リールの絵柄を１個ずつ組み合わせた直線状の入賞ラインが横３本斜め２本の合計５本設定されている。これら入賞ラインは、ゲームの開始に先立って行われるメダルベットが１枚の場合には中央横一本の入賞ラインが有効化され、２枚では横３本、３枚ではさらに斜め２本を加えた５本の入賞ラインが有効化される。以下、有効化された入賞ラインを入賞有効ラインとする。また、メダルは５０枚を限度に貯留（以下クレジットと記す）することが可能になっている。なお、表示窓５から１リール当たり例えば４個ずつの絵柄を観察できるようにしておき、横４本の入賞有効ラインのほかに、各リール毎に絵柄を一個ずつ組み合わせるように折れ曲がった別の入賞有効ラインを設定することも可能である。また、表示窓５による第１〜第３リール６ａ〜６ｃの表示形態は、上記に限定されるものではなく、例えば、第１〜第３リール６ａ〜６ｃのそれぞれに対応する複数個の表示窓を設けるとしても良い。
【００１３】
表示窓５の側方には液晶表示装置である液晶画面１０が配置されている。この液晶画面１０は液晶画面コントローラ３８（図２参照）により制御されている。この液晶画面１０では、ゲーム時にゲーム状態に応じた画像や動画による演出や、ＢＢモードへ移行する権利を与えるＢＢ役、及びＲＢモードへ移行する権利を与えるＲＢ役を含む各種当選役を入賞することができる権利が、遊技者に付与されたことを報知する画像などが表示される。
【００１４】
スロットマシン２の前面にあるメダル投入口８に、１〜３枚のメダルが投入され、ゲーム開始用のスタートレバー１３が操作されると、第１〜第３リール６ａ〜６ｃは回転を始める。そして、第１〜第３ストップボタン１２ａ〜１２ｃが操作されることにより、各ボタンに対応した第１〜第３リール６ａ〜６ｃが個別に停止される。
【００１５】
第１〜第３ストップボタン１２ａ〜１２ｃが設けられている操作パネルには、メダルがクレジットされた状態でゲームを行うときに操作される１枚ベットボタン１４、ＭＡＸベットボタン１５、ペイアウトボタン１６などの各種の操作ボタンが設けられている。
【００１６】
筐体３の下部にはメダル受け皿１７が設けられており、このメダル受け皿１７には、ゲームで入賞が得られたときにメダル払い出し口１８から払い出される配当メダルが貯留される。
【００１７】
筐体３の内部には、振動検知センサ２０が配設されている。振動検知センサ２０は、配設された位置における振動を検知して、振動の周期及び振幅（筐体の傾斜角）に関する検知信号を電気的に出力することのできる振動検知手段である。振動検知センサ２０からの検知信号は、後述するＣＰＵ３０（図２に図示）に入力される。なお、振動検知センサとしては、振動の周期及び振幅を検知することができるものであれば、加速度センサなどを適宜用いて良い。
【００１８】
図２に示すように、スロットマシン２の作動は基本的にＣＰＵ３０及びメモリ３１を含む制御部２９によって管制される。制御部２９には、後述する電子抽選部３９、当選役決定部４０、異常判断部４２、遊技状態中断部４３、ゲーム回数カウンタ４４が設けられている。
【００１９】
メダルセンサ３２はメダル投入口８から投入された適正なメダルを検知し、ＣＰＵ３０に入力する。メダル投入口８の奥にはセレクタが組み込まれ、不適正なメダルはメダル払い出し口１８よりメダル受け皿１７に排出される。また、セレクタは不適切なタイミングでメダルの投入が行われたとき、例えばゲームの途中や各種の操作ボタンが押されたままの状態でメダル投入口８に投入されたメダルについても、メダルセンサ３２を経由させずにメダル受け皿１７に排出する。
【００２０】
なお、ゲームの開始に先立って投入するメダルの枚数は１〜３枚に限られているため、クレジット機能を用いていないときには４枚目以降に投入されたメダルもメダルセンサ３２で検知されることなくメダル受け皿１７に排出される。クレジット機能のオン／オフはペイアウトボタン１６の１プッシュ毎に切り替えられる。そして、クレジット機能がオン状態の時には４枚目以降に投入されたメダルもメダルセンサ３２で検知され、５０枚を限度にスロットマシン２の内部にクレジットされる。クレジット機能を用いているときには、前述した１ベットボタン１４やＭＡＸベットボタン１５の操作によりメダルの投入操作が行われ、そのベット枚数がクレジット枚数から逐次に減算される。また、ゲームが行われて、メダルの払い出しを伴う入賞が得られたときには配当メダルもクレジットされ、ペイアウトボタン１６を操作したときにクレジットされたメダルがメダル受け皿１７に払い出される。
【００２１】
１ベットボタン１４及びＭＡＸベットボタン１５の内部にはセンサが設けられており、それぞれのボタンが押下されたときにはＣＰＵ３０に信号を入力する。ＣＰＵ３０は、ゲームの開始に先立って投入された１〜３枚のメダルの枚数をメダルセンサ３２からの検知信号か、または１ベットボタン１４、ＭＡＸベットボタン１５のいずれかからの入力信号に基づいて計数し、これにより入賞有効ラインの有効化本数を決定する。また、ゲームの開始毎に投入されたメダルのベット枚数はＣＰＵ３０に設けられたカウンタで積算して計数される。なお、クレジット枚数は図示を省略した別のクレジットメダルカウンタで計数される。
【００２２】
スタートスイッチセンサ３３は、スタートレバー１３が操作されたときにオンとなり、ゲームスタート信号をＣＰＵ３０に入力する。ゲームスタート信号を受けると、ＣＰＵ３０はメモリ３１のＲＯＭ領域に格納されたゲーム実行プログラムに基づいて第１〜第３リール６ａ〜６ｃを回転させるとともにゲームの処理を開始する。ゲーム実行プログラムにはＢＢモード、ＲＢモードの実行プログラムも含まれており、ＣＰＵ３０はこれらの実行プログラムを読み出すことにより各モードでのゲームを実行する。
【００２３】
各リールの駆動及び停止制御は、絵柄部駆動制御部３４によって行われる。なお、絵柄部駆動制御部としては、例えばリール駆動コントローラを用いると好適である。第１〜第３リール６ａ〜６ｃのそれぞれは個別のステッピングモータ３５ａ〜３５ｃの駆動軸に固着され、各ステッピングモータ３５ａ〜３５ｃの駆動を制御することにより各リールの制御が行われる。なお、メモリ３１のＲＡＭ領域はワーキングエリアとなっており、毎回のゲーム毎に利用されるフラグやデータなどの一時的保管や書き換えなどに用いられる。
【００２４】
ステッピングモータ３５ａ〜３５ｃは供給された駆動パルスの個数に応じた回転角で回転するから、ＣＰＵ３０により駆動パルスの供給個数を制御することによって第１〜第３リール６ａ〜６ｃの回転角を制御することができ、また駆動パルスの供給を絶つことによりリールの停止位置を決めることができる。また、各リールには、その基準位置に反射信号部３６ａ〜３６ｃが一体に形成され、その一回転毎にフォトセンサ３７ａ〜３７ｃがそれぞれの反射信号部の通過を光電検出する。フォトセンサ３７ａ〜３７ｃによる検知信号は、リール毎のリセット信号としてＣＰＵ３０に入力される。
【００２５】
ＣＰＵ３０にはステッピングモータ３５ａ〜３５ｃ毎にパルスカウンタが設けられ、各々のステッピングモータ３５ａ〜３５ｃに供給された駆動パルスの個数を計数する。そして、フォトセンサ３７ａ〜３７ｃからリセット信号が入力されたときに、対応するパルスカウンタのカウント値をクリアする。したがって、それぞれのパルスカウンタには、各リールの１回転内の回転角に対応した駆動パルスの個数が逐次に更新しながら保存されることになる。
【００２６】
メモリ３１のＲＯＭ領域には絵柄テーブルが格納され、絵柄テーブルには、各リールの基準位置からの回転角に対応した駆動パルスの個数と、リールに一定ピッチで配列されたそれぞれの絵柄を表す絵柄コードとが対応づけられている。したがって、リール毎にパルスカウンタのカウント値を監視することによって、例えば中央の入賞有効ライン上にどの絵柄が移動してきているのかを識別することができ、また、さらにどの程度リールを回転させれば目的の絵柄がその入賞有効ライン上に移動してくるのかを予測することができる。
【００２７】
第１〜第３ストップボタン１２ａ〜１２ｃの内部にはセンサが設けられており、第１〜第３ストップボタン１２ａ〜１２ｃが操作されたときにＣＰＵ３０にリール毎のストップ信号を入力する。スタートレバー１３を操作して全リールの回転が始まり、これらの回転が定常速度に達した時点で第１〜第３ストップボタン１２ａ〜１２ｃの操作が有効化される。その後、これらを操作することによってそれぞれ対応する第１〜第３リール６ａ〜６ｃの停止制御が開始される。即ち、第１〜第３ストップボタン１２ａ〜１２ｃはリール停止操作手段として機能する。
【００２８】
第１〜第３リール６ａ〜６ｃの停止制御は、当選絵柄４個分の範囲（引き込み範囲）内で行われ、例えば第１〜第３ストップボタン１２ａ〜１２ｃが操作されたときに、入賞有効ライン上に位置している当選絵柄から連続する４個の当選絵柄の中に、内部入賞している当選役を構成する当選絵柄が含まれている場合には、第１〜第３リール６ａ〜６ｃが停止するまでの時間が遅らせられ、当選役を構成する当選絵柄が入賞有効ライン上に停止される。以上のようにＣＰＵ３０及び絵柄部駆動制御部３４はリール停止制御手段として機能する。
【００２９】
ＣＰＵ３０は、ゲームスタート信号を受けて電子抽選部３９を作動させる。電子抽選部３９は乱数発生器と乱数値サンプリング回路とを含み、ゲームが開始される毎に１つの乱数値を抽選する。抽選された乱数値は当選役決定部４０に入力される。当選役決定部４０には、入力された乱数値の大きさに応じてグループ分けした当選役抽選テーブルが複数種類設けられている。当選役抽選テーブルは、通常モードでのゲームで抽選された乱数値が、ＢＢ役、ＲＢ役、所定枚数のメダルの払い出しだけを行う小役当選絵柄に対応する小役、メダルの投入なしに同じベット数で次回のゲームを行う権利を与える再遊技役であるリプレイ役、一切当たりを発生させないハズレなどのいずれの絵柄に属しているかの判定、即ち当選判定に用いられる。小役当選絵柄は複数種類あり、それぞれに配当メダルが割り当てられている。そして、サンプリングされた乱数値がいずれの当選絵柄に属した値であるかによって当選の種類と絵柄が決められる。また、当選役決定部４０には、ＢＢモードやＲＢモードで用いられる当選役抽選テーブルも設けられている。当選役決定部４０で当選判定が行われると、決定されたハズレ又は当選役の種類を示す当選役決定信号がＣＰＵ３０に入力される。このように電子抽選部３９及び当選役決定部４０は当選役決定手段として機能する。
【００３０】
液晶画面コントローラ３８は、ＣＰＵ３０から入力された信号に応じて、液晶画面１０に表示する画像を制御する。
【００３１】
メダル払い出し部４１は、当選役が入賞した際に、その当選役に対応する配当メダルをメダル受け皿１７に払い出し、あるいはクレジットカウンタにその規定枚数を加算する。なお、当選役の種類毎に配当メダルの枚数を決めた配当テーブルはメモリ３１のＲＯＭ領域に格納されており、ＣＰＵ３０がこれを読み取ってメダル払い出し部４１を駆動する。なお、メダル払い出し部としては、例えばメダルホッパーを用いると好適である。
【００３２】
ゲーム回数カウンタ４４は、ゲームが行われる毎に、カウント値を「１」だけインクリメントすることでゲームが行われた回数をカウントし、カウントされたゲーム回数はＣＰＵ３０に入力される。
【００３３】
液晶画面コントローラ３８は、ＣＰＵ３０から入力された信号に応じて、液晶画面１０に表示する画像を制御する。
【００３４】
異常判断部４２は、振動検知センサ２０がＣＰＵ３０に入力した検知信号に基づいて、筐体３における振動の周期及び振幅が、正常時における振動と比較して、異常状態のものであるか否かを判断する。異常判断部４２は、筐体３の振動が異常状態であると判断したときには、異常状態であることを示す信号をＣＰＵ３０に入力する。このように、異常判断部４２は異常判断手段として機能する。異常状態であることを示す信号が入力されると、ＣＰＵ３０は、遊技状態中断部４３を作動させる。
【００３５】
遊技状態中断部４３は、作動されると、先ず現状の遊技状態を認識し、該遊技状態に応じて遊技状態を予め定められた所定の手順にて中断させる。認識した現状の遊技状態がＢＢモード中またはＲＢモード中であるときには、遊技状態中断部４３は、ＢＢモードまたはＲＢモードの途中である状態を中断情報としてメモリ３１のＲＡＭ領域に書き込んで記憶し、リセット操作が行われるまでスロットマシン２の遊技状態を中断させる。ＢＢモードまたはＲＢモードの途中にて遊技状態が中断しているときにリセット操作が行われると、遊技状態中断部４３は、メモリ３１のＲＡＭ領域に記憶している中断情報に基づいて、中断前の遊技状態である、ＢＢモードまたはＲＢモードの途中の状態で遊技を再開させる。
【００３６】
遊技状態中断部４３が作動されたときに認識した現状の遊技状態が特別モードでなく、且つ、第１〜第３リール６ａ〜６ｃが回転中であって、第１〜第３ストップボタン１２ａ〜１２ｃが操作されれば対応するリールを停止させられる状態であるときには、遊技状態中断部４３は、当選役決定部４０によって決定された当選役に関わらず、第１〜第３ストップボタン１２ａ〜１２ｃの操作を待たずにリプレイ役が入賞するよう第１〜第３リール６ａ〜６ｃを停止させる。遊技状態中断部４３は、リプレイ役を入賞させた後、リセット操作が行われるまでスロットマシン２の遊技状態を中断させる。そして、リセット操作が行われると、遊技状態中断部４３は、リプレイ役が入賞している状態で遊技を再開させる。このように、遊技状態中断部４３は遊技状態中断手段として機能する。なお、リセット操作は、筐体３内に設けられた所定のスイッチの操作とするなど、適宜の態様を用いて良い。
【００３７】
次に、このようにして構成されたスロットマシンの作用について図３のフローチャートを基に説明する。
【００３８】
振動検知センサ２０は、筐体３における振動を検知し、検知信号をＣＰＵ３０に入力する。異常判断部４２は、ＣＰＵ３０に入力された検知信号に基づいて、筐体３における振動の周期及び振幅が、正常時における振動と比較して、異常状態のものであるか否かを判断する。筐体３の振動が異常状態であると判断したときには、異常状態であることを示す信号をＣＰＵ３０に入力する。異常状態であることを示す信号が入力されると、ＣＰＵ３０は、遊技状態中断部４３を作動させる。
【００３９】
遊技状態中断部４３は、作動されると、現状の遊技状態が特別モード中か否かを判断する。現状の遊技状態が特別モード中であるときには、遊技状態中断部４３は、特別モード中であることをＲＡＭに記憶し、遊技状態を中断させる。そして、リセット操作が行われると特別モードの途中の状態で遊技を再開させる。現状の遊技状態が特別モード中でないときには、遊技状態中断部４３は、第１〜第３リール６ａ〜６ｃが回転中であるか否かを判断する。第１〜第３リール６ａ〜６ｃが回転中であった場合には、遊技状態中断部４３は、当選役決定手段４０によって決定された当選役に関わらず、第１〜第３ストップボタン１２ａ〜１２ｃの操作を待たずにリプレイ役が入賞するよう第１〜第３リール６ａ〜６ｃを停止させる。遊技状態中断部４３は、リプレイ役を入賞させた後、遊技状態を中断させる。そして、リセット操作が行われると、リプレイ役が入賞している状態で遊技を再開させる。現状の遊技状態が特別モード中でなく、且つ、第１〜第３リール６ａ〜６ｃが回転中でない場合には、遊技状態中断部４３は、作動されたときに遊技を中断し、リセット操作に応じて遊技を再開させる。
【００４０】
上記実施形態では、遊技状態中断部４３が作動されたときに認識した現状の遊技状態が特別モードでなく、且つ、第１〜第３リール６ａ〜６ｃが回転中であって、第１〜第３ストップボタン１２ａ〜１２ｃが操作されれば対応するリールを停止させられる状態であるときには、遊技状態中断部４３は、当選役決定部４０によって決定された当選役に関わらず、第１〜第３ストップボタン１２ａ〜１２ｃの操作を待たずにリプレイ役が入賞するよう第１〜第３リール６ａ〜６ｃを停止させていたが、これを、遊技状態中断部４３が作動されたときに認識した現状の遊技状態が特別モードでなく、且つ、第１〜第３リール６ａ〜６ｃが回転中であって、第１〜第３ストップボタン１２ａ〜１２ｃが操作されれば対応するリールを停止させられる状態であるときには、第１〜第３ストップボタン１２ａ〜１２ｃの操作を待たずに当選役決定部４０によって決定された当選役が入賞するように停止させるとしても良い。この場合の、制御の流れを図４のフローチャートの示す。
【００４１】
図４に示すように、遊技状態中断部４３が作動されたときに認識した現状の遊技状態が特別モードでなく、且つ、第１〜第３リール６ａ〜６ｃが回転中であって、第１〜第３ストップボタン１２ａ〜１２ｃが操作されれば対応するリールを停止させられる状態であるときには、遊技状態中断部４３は、第１〜第３ストップボタン１２ａ〜１２ｃの操作を待たずに第１〜第３リール６ａ〜６ｃを停止させる。このとき当選役決定部４０によっていずれかの当選役が内部入賞していた場合には、遊技状態中断部４３は、該当選役が入賞するように第１〜第３リール６ａ〜６ｃを停止させる。そして、メダル払い出し部４１は、入賞した当選役に対応する配当メダルを受け皿１７に払い出す。メダルの払い出しが終了すると、遊技状態中断部４３は、リセット操作が行われるまで遊技を中断させる。
【００４２】
上記実施形態では、特別モードとしてＢＢモードとＲＢモードが設けられ、ＢＢモード中及びＲＢモード中は、複数の遊技が行われる区間に特定の遊技状態となる特別区間中となっていたが、特別区間の態様はこれらに限られない。例えばリプレイタイム（ＲＴ）モードなどを適宜設けて良い。ＲＴモードとは、リプレイ役の当選確率が、所定回数のゲームが行われる区間において、通常モードよりも高確率となって、遊技者はメダルの消費を抑えながらゲームを行うことが可能になるゲームモードである。
【００４３】
【発明の効果】
以上のように、本発明の遊技機によれば、振動検知センサが検知した振動を以上判断手段にて異常状態か否かを判断し、遊技状態中断手段によって遊技者に不利益感を与えないように遊技状態を中断させるので、遊技機の筐体に対して不正行為が行われたことを検知して遊技状態を中断させることにより、遊技機を誤作動させて遊技利益を得る不正行為を防止できるようにした遊技機を提供することができる。
【図面の簡単な説明】
【図１】本発明を実施したスロットマシンの外観を示す斜視図である。
【図２】図１に示したスロットマシンの電気的構成を示す機能ブロック図である。
【図３】遊技機の動作の概略を示すフローチャートである。
【図４】図３に示したものとは別の実施形態における遊技機の動作の概略を示すフローチャートである。
【符号の説明】
２  スロットマシン
６ａ  第１リール
６ｂ  第２リール
６ｃ  第３リール
２０  振動検知センサ
２９  制御部
３０  ＣＰＵ
３１  メモリ
４０  当選役決定部
４２  異常判断部
４３  遊技状態中断部
【図１】
2004243021.tif 000003
【図２】
2004243021.tif 000004
【図３】
2004243021.tif 000005
【図４】
2004243021.tif 000006